(57)【特許請求の範囲】
【請求項１】
複数本のシールド電線を並列してなるフラットケーブルの端末に接続して用いられるコネクタであって、ハウジング内には前記各シールド電線の芯線と個別に接続可能な端子金具が並んで装着されるとともに、このハウジングを覆うようにして前記各シールド電線のシールド層にわたって接続可能なシールドシェルが設けられたものにおいて、
前記各シールド電線を押さえて相手の端子金具との間の接触状態を維持すべくカバーが、前記ハウジングに対して一体的に組み付けられた状態で開閉可能に設けられるとともに、前記カバーを閉じた状態に仮保持する仮保持機構が設けられ、前記仮保持機構を解くことにより前記カバーを前記閉じた状態から開いた状態へ開放可能とされており、かつ、
前記シールドシェルは、前記ハウジングに嵌着される基部側シェルに対して蓋側シェルが開閉可能に設けられ、さらに、
前記基部側シェルに前記ハウジングを載せて前記カバーを閉じた状態から前記カバーに対して前記蓋側シェルを被せることにより、前記蓋側シェルと前記基部側シェルとの間で前記ハウジングを前記カバーとともに挟んでロックする本保持機構が設けられていることを特徴とするフラットケーブル用コネクタ。
【請求項２】
前記基部側シェルに対して前記蓋側シェルが一体的に設けられ、前記蓋側シェルが前記ハウジングの前縁側から前記フラットケーブルの長さ方向に沿って折り返されて閉鎖されるようになっており、かつ前記カバーが、前記ハウジングの一側縁において前記フラットケーブルの横幅方向に沿って揺動開閉可能に支持されていることを特徴とする請求項１記載のフラットケーブル用コネクタ。
【発明の詳細な説明】
【０００１】
【発明の属する技術分野】
本発明は、複数本のシールド電線を並列してなるフラットケーブルの端末に接続して用いられるコネクタに関する。
【０００２】
【従来の技術】
従来この種のフラットケーブル用コネクタとして、以下のようなものが知られている。このものは、圧接型の端子金具が並べて装着されたハウジングを備え、フラットケーブルの端末における各シールド電線の芯線が端子金具に対して圧接されたのち、ハウジングにカバーが被着されて電線を押さえることで圧接状態に維持され、さらにハウジングを覆うようにして各シールド電線のシールド層にわたって接続可能なシールドシェルが装着された構造となっている。
なお、この種の電線押さえ用のカバーを備えたコネクタは、特開２００１−４３９２６号に開示されている。
【０００３】
【発明が解決しようとする課題】
しかるに従来のものでは、電線押さえ用のカバーについて、ハウジングに対して後付けされる別体物として装備されていたため、搬送用等にハウジングとは別に梱包したり別に部品管理する必要があって、取り扱い等が面倒であり、またカバーを後付けする場合の位置合わせが結構難しく、組み付けの作業性が悪いという問題があった。
本発明は上記のような要望に基づいて完成されたものであって、その目的は、取り扱いが簡便で組み付け作業性にも優れたフラットケーブル用コネクタを提供するところにある。
【０００４】
【課題を解決するための手段】
上記の目的を達成するための手段として、請求項１の発明は、複数本のシールド電線を並列してなるフラットケーブルの端末に接続して用いられるコネクタであって、ハウジング内には前記各シールド電線の芯線と個別に接続可能な端子金具が並んで装着されるとともに、このハウジングを覆うようにして前記各シールド電線のシールド層にわたって接続可能なシールドシェルが設けられたものにおいて、前記各シールド電線を押さえて相手の端子金具との間の接触状態を維持すべくカバーが、前記ハウジングに対して一体的に組み付けられた状態で開閉可能に設けられるとともに、前記カバーを閉じた状態に仮保持する仮保持機構が設けられ、前記仮保持機構を解くことにより前記カバーを前記閉じた状態から開いた状態へ開放可能とされており、かつ、前記シールドシェルは、前記ハウジングに嵌着される基部側シェルに対して蓋側シェルが開閉可能に設けられ、さらに、前記基部側シェルに前記ハウジングを載せて前記カバーを閉じた状態から前記カバーに対して前記蓋側シェルを被せることにより、前記蓋側シェルと前記基部側シェルとの間で前記ハウジングを前記カバーとともに挟んでロックする本保持機構が設けられている構成としたところに特徴を有する。
【０００５】
請求項２の発明は、請求項１に記載のものにおいて、前記基部側シェルに対して前記蓋側シェルが一体的に設けられ、前記蓋側シェルが前記ハウジングの前縁側から前記フラットケーブルの長さ方向に沿って折り返されて閉鎖されるようになっており、かつ前記カバーが、前記ハウジングの一側縁において前記フラットケーブルの横幅方向に沿って揺動開閉可能に支持されているところに特徴を有する。
【０００６】
【発明の作用及び効果】
＜請求項１の発明＞
カバーがハウジングに対して一体的に組み付けられているから、両者を１部品として取り扱うことができ、搬入時の梱包や、部品管理等を簡単とすることができる。また組み付けに際しては、カバーを閉じるだけで良く、ハウジングに対する格別の位置決めは不要であるから、作業性にも優れたものとなる。
また、搬送時にカバーを閉じた状態とすると、コンパクトにまとまって便利である。しかも、閉じた状態で仮保持できるようになっているから、カバーのがたつきを有効に抑えることができる。
＜請求項２の発明＞
シールドシェル側でも、基部側シェルに対して蓋側シェルを開閉可能に一体的に設けたことで部品点数の削減が図られる。そして、蓋側シェルがハウジングの前縁から折り返されるのに対して、カバーをハウジングの一側縁で揺動開閉可能に支持したから、蓋側シェルとカバーとを互い干渉することなく開閉可能に配することができる。
【０００７】
【発明の実施の形態】
以下、本発明の一実施形態を図１ないし図１１に基づいて説明する。
この実施形態のコネクタは大まかには、図１に示すように、フラットケーブル１０の端末が取り付けられるハウジング２０と、このハウジング２０に装着されるシールドシェル５０とから構成されている。
フラットケーブル１０は、図７にも示すように、複数本のシールド電線１１が所定間隔を開けて並列して配され、フィルム１７で覆われて帯状に形成されている。このフラットケーブル１０の端末では、各シールド電線１１のシールド層１４にわたって短絡体１８が横切るように固定されているとともに、その先に芯線１２が露出して突出され、整列シート１９で連結されることにより芯線１２同士も所定間隔を開けた並列状態に保持されている。
【０００８】
ハウジング２０には、上記した各シールド電線１１の芯線１２と接続可能な端子金具２１が、シールド電線１１と同数装着されるようになっている。端子金具２１は圧接タイプであり、図６に示すように、全体として細長形状をなし、先端側が一段高く屈曲形成されて接触部２２とされている。一方、後端側では、二股となりつつ上方に直角曲げされることで圧接部２３が形成され、この圧接部２３の縦向きの溝が、シールド電線１１の芯線１２を圧接する圧接溝２４となっている。
【０００９】
ハウジング２０は、合成樹脂材によって横長の厚板状に形成されている。このハウジング２０における前側（図６の右側）の２／３強の部分には、端子金具２１の装着領域２６が設定されており、この装着領域２６では、前端側で一段高くなった段付き状に形成されているとともに、端子金具２１を挿入可能な複数の端子挿入溝２７が横幅方向に間隔を開けて形成されている。また段付き部付近では、端子挿入溝２７の間を仕切る仕切壁２９が立てられている。したがって各端子金具２１は、図６に示すように、先端の接触部２２を一段高くなった部分に載せつつ端子挿入溝２７に嵌められている。
なお、ハウジング２０における装着領域２６の直後には、フラットケーブル１０のシールド電線１１における内部被覆１３の間を適宜に仕切る案内部３０が、またハウジング２０の後縁側には、同シールド電線１１の外部被覆１５の間を適宜に仕切る案内部３１がそれぞれ形成されている。
【００１０】
ハウジング２０には、その上面、詳細には前側の仕切壁２９の列設位置の少し後方位置から、後縁の案内部３１の列設位置にわたる領域の上面を覆うべくカバー３５が装備されている。このカバー３５は、合成樹脂材によりハウジング２０とは別体として形成されている。
カバー３５の横幅方向の一端には、図２及び図３に示すように、軸部３６が突設されており、この軸部３６の前後両面にはピン３７が立てられている。カバー３５の他端には操作部３８が突設されている。
【００１１】
一方、ハウジング２０の横幅方向の一端（図２の左手前側）には、カバー３５の軸部３６が嵌まる装着孔４０が形成され、その前後両面に軸受孔４１が形成されている。したがってカバー３５は、軸部３６の両ピン３７を軸受孔４１に嵌めることで、ピン３７を中心として揺動開閉可能に支持されている。
ハウジング２０の横幅方向の他端には、カバー３５が正規に閉じられた場合に操作部３８が緊密に嵌まる有底の収容溝４２が形成されている。ここで、カバー３５の操作部３８の前後両面には、収容溝４２の両面に圧入される圧入突起４５が突設されているとともに、収容溝４２の外側の端部寄りの底面には、治具Ｇ（図５参照）を下方から挿入可能な治具挿入口４３が切り欠き形成されている。
【００１２】
カバー３５の裏面には、図２に示すように、カバー３５が閉じて被せられた場合において、ハウジング２０内に装着された各端子金具２１における隣り合う圧接部２３の間に割って入るようにした仕切壁４７が形成されている。それらの仕切壁４７の間には、図９に参照して示されるように、同じくカバー３５が閉じて被せられた場合において、端子金具２１の圧接部２３を挟んだ前後両側に進入して、シールド電線１１の芯線１２を押さえるように機能する一対の押圧部４８が形成されている。
【００１３】
シールドシェル５０は、りん青銅等の１枚の導電性金属板をプレス加工することによって、基部側シェル５１と蓋側シェル５２とが一体に形成されている。基部側シェル５１は、ハウジング２０の下面のほぼ全面に当てられる形状に形成されており、その前縁における両端部からは連結片５３が垂直に立ち上がって形成され、両連結片５３の上端に蓋側シェル５２が一体に形成されている。したがって成形時には、基部側シェル５１と蓋側シェル５２とが互いに直交している。連結片５３の途中位置から折り曲げ可能となっている。
【００１４】
基部側シェル５１における後縁側（図１の手前側）には、ハウジング２０の下面に弾性的に当接する図示４本の押圧片５５が切り起こし形成されている。一方、蓋側シェル５２の揺動端側には、上記したフラットケーブル１０における短絡体１８の表面に弾性的に接触可能な同じく図示４本の接触片５６が切り起こし形成されている。そのため、上記したカバー３５には、図２，３に示すように、接触片５６を通す窓孔３９が対応して形成されている。
【００１５】
基部側シェル５１の後縁には、係止溝５８の開口された図示３枚の第１係止板５７が立ち上がり形成されているとともに、蓋側シェル５２の揺動端には、基部側シェル５１とほぼ平行姿勢に折り曲げられた場合に係止溝５８に係止可能なフック５９が対応して形成されている。
また、基部側シェル５１の左右の側縁の後端には、第２係止板６０が立ち上がり形成され、各第２係止板６０の外面に、斜め下向きに突出した係止片６１が切り起こしまたは叩き出しにより形成されている。一方、蓋側シェル５２の左右両側縁の揺動端側には、同じく基部側シェル５１とほぼ平行姿勢に折り曲げられた場合に、係止片６１が嵌まる係止孔６３の開口された被係止板６２が対応して形成されている。
【００１６】
続いて、本実施形態の組み付けの手順を説明する。
まず、ハウジング２０内の各端子挿入溝２７に対して端子金具２１が装着される。次に、軸部３６の両ピン３７を軸受孔４１を差し込むことで、カバー３５がハウジング２０の一側縁で揺動可能に支持され、搬送の際には、図４に示すように、カバー３５は一旦閉じられる。このとき、操作部３８の圧入突起４５がハウジング２０の収容溝４２の両面に圧入されることで、カバー３５は閉鎖状態に仮保持される。
【００１７】
組み付けに際しては、まずカバー３５が開かれる。その場合は、図５に示すように、ハウジング２０の収容溝４２の底面に設けられた治具挿入口４３から治具Ｇが入れられ、操作部３８の下面が突き上げられることで、操作部３８が収容溝４２の上方に外される。そうしたら、操作部３８に指を掛けて図４の手前側に揺動することで、図１に示すようにカバー３５が開放される。
このようにカバー３５が開かれた状態において、ハウジング２０が、図６の矢線に示すように、シールドシェル５０の一部を構成する基部側シェル５１の上に載せられる。
【００１８】
次に、図７の矢線に示すように、フラットケーブル１０の端末が、ハウジング２０の装着領域２６に上方から装着される。これに伴い、各シールド電線１１の芯線１２が、対応する端子金具２１における圧接部２３の圧接溝２４に圧入される（図９参照）。これにより、各シールド電線１１と端子金具２１同士が接続される。
フラットケーブル１０の端末の装着が完了したら、カバー３５が軸部３６を中心に表裏反転されるようにして揺動され、図８に示すように閉じられる。これに伴い、図９に示すように、カバー３５の裏面に設けられた前後一対の押圧部４８が圧接部２３の前後両側に進入し、各シールド電線１１における芯線１２の圧接部分の前後を押さえ付けることで圧接状態に保持する。
【００１９】
続いて、両連結片５３の所定位置から、図９の矢線に示すように、蓋側シェル５２を後方に向けて折り曲げる。蓋側シェル５２が９０度折り曲げられると、図１０及び図１１に示すように、蓋側シェル５２の揺動端のフック５９が、基部側シェル５１の対応する第１係止板５７の係止溝５８に弾性的に嵌まり、また、両端の被係止板６２の係止孔６３に、対応する第２係止板６０の係止片６１が弾性的に嵌まることで、蓋側シェル５２が基部側シェル５１との間でハウジング２０を挟んで閉じた状態にロックされる。
これにより、カバー３５が蓋側シェル５２で押さえられて、上記のように各シールド電線１１の芯線１２が圧接状態に保持される。それとともに、蓋側シェル５２の接触片５６が、カバー３５の窓孔３９を通って短絡体１８の上面に弾性的に押し付けられて電気的接触が図られ、回りを囲むように配されたシールドシェル５０の機能によって、放射ノイズを除去する等のシールド効果が得られる。
【００２０】
以上説明したように本実施形態によれば、カバー３５がハウジング２０に対して一体的に組み付けられているから、両者を１部品として取り扱うことができ、搬入時の梱包や、部品管理等を簡単とすることができる。また組み付けに際しては、カバー３５を閉じるだけで良く、ハウジング２０に対する格別の位置決めは不要であるから、作業性にも優れたものとなる。
シールド電線１１を圧接状態に維持するのに、合成樹脂製のカバー３５で押さえるようにしたから、シールドシェルで押さえる場合と比較すると、ショートすることが確実に防止できる。
【００２１】
この実施形態では、シールドシェル５０側についても、基部側シェル５１に対して蓋側シェル５２を開閉可能に一体的に設けた構造としたことで、部品点数の削減を図っている。そして、シールドシェル５０については、蓋側シェル５２がハウジング２０の前縁から折り返されるのに対して、カバー３５側ではハウジング２０の一側縁で揺動開閉可能に支持するようにしたから、蓋側シェル５２とカバー３５とを互い干渉することなく開閉可能に配することができる。
また、搬送時にはカバー３５を閉じた状態とすると、コンパクトにまとまって便利であるが、カバー３５の操作部３８に設けた圧入突起４５を収容溝４２の側面に圧入することで閉鎖状態に仮保持できるようにしたから、カバー３５のがたつきを有効に抑えることができる。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）シールドシェルについては、基部側シェルと蓋側シェルとが別体物として後から組み付けられるようになっていてもよい。
（２）上記のように基部側シェルと蓋側シェルとが別体として形成されている場合、カバーはハウジングの前縁から折り返して閉じられるようになっていてもよい。
【図面の簡単な説明】
【図１】本発明の一実施形態に係るコネクタの分解斜視図
【図２】ハウジングとカバーとの分解斜視図
【図３】カバーの斜視図
【図４】カバーを仮閉鎖した状態の斜視図
【図５】カバーの仮閉鎖を解除する動作を示す側面図
【図６】ハウジングとシールドシェルとの初めの組み付け動作を示す縦断面図
【図７】フラットケーブルの端末の装着動作を示す縦断面図
【図８】カバーを閉じた状態の斜視図
【図９】蓋側シェルの閉鎖動作を示す縦断面図
【図１０】蓋側シェルの閉鎖完了時の斜視図
【図１１】その縦断面図
【符号の説明】
１０…フラットケーブル
１１…シールド電線
１２…芯線
１４…シールド層
１８…短絡体
２０…ハウジング
２１…端子金具
２３…圧接部
３５…カバー
３６…軸部
３７…ピン
３８…操作部
３９…窓孔
４０…装着孔
４１…軸受孔
４２…収容溝
４５…圧入突起（仮保持機構）
５０…シールドシェル
５１…基部側シェル
５２…蓋側シェル
５３…連結片
５６…接触片
【図１】
0003680767.tif 000002
【図２】
0003680767.tif 000003
【図３】
0003680767.tif 000004
【図４】
0003680767.tif 000005
【図５】
0003680767.tif 000006
【図６】
0003680767.tif 000007
【図７】
0003680767.tif 000008
【図８】
0003680767.tif 000009
【図９】
0003680767.tif 000010
【図１０】
0003680767.tif 000011
【図１１】
0003680767.tif 000012